(57)【要約】【課題】泡の形態を簡単な操作で変更できるフォーマーディスペンサー用噴射ノズルを提案する。【解決手段】フォーマーディスペンサーの噴射筒を通して圧送される内容物を外部に向けて噴出させる噴射ノズルを、前記噴射筒の先端に装着され該噴射筒の通路につながる噴出口を有するノズル本体と、ノズル本体の噴出口より排出した内容物を衝突させて発泡させる複数の障壁を有するノズルチップとを備えたものにて構成し、該ノズルチップに、障壁と噴出口との相互間にて空気と内容物の混合促進空間を形成するインナー部材と、このインナー部材の前面に合わさり該障壁における内容物の衝突面積を変更する第２の障壁を有するアウター部材を配置する。【選択図】        図１
2004322041.tif 000002
【特許請求の範囲】
【請求項１】
フォーマーディスペンサーの噴射筒を通して圧送される内容物を外部に向けて噴出させる噴射ノズルであって、
前記噴射筒の先端に装着され該噴射筒の通路につながる噴出口を有するノズル本体と、ノズル本体の噴出口より排出した内容物を衝突させて発泡させる複数の障壁を有するノズルチップとを備え、
該ノズルチップは、障壁と噴出口との相互間にて空気と内容物の混合促進空間を形成するインナー部材と、このインナー部材の前面に合わさり該障壁における内容物の衝突面積を変更する第２の障壁を有するアウター部材からなることを特徴とするフォーマーディスペンサー用噴射ノズル。
【請求項２】
アウター部材は、インナー部材の基部に回転可能に保持される環状体を有する、請求項１記載のフォーマーディスペンサー用噴射ノズル。
【請求項３】
アウター部材は、インナー部材の基部に固定保持される環状体と、この環状体にヒンジを介して揺動可能に保持される障壁からなる、請求項１記載のフォーマーディスペンサー用噴射ノズル。
【請求項４】
アウター部材は、インナー部材の基部にヒンジを介して直接揺動可能に保持されたものである、請求項１記載のフォーマーディスペンサー用噴射ノズル。
【請求項５】
インナー部材は、ノズル本体に一体に成形されたものである、請求項１〜４の何れかに記載のフォーマーディスペンサー用噴射ノズル。
【請求項６】
インナー部材はノズル本体に着脱自在に取り付けられたものである、請求項１〜４の何れかに記載のフォーマーディスペンサー用噴射ノズル。
【発明の詳細な説明】
【０００１】
【発明の属する技術分野】
本発明は、ポンプ機構によって容器内の内容物を吸引、加圧して泡状に噴出させるフォーマーディスペンサーに用いて好適な噴射ノズルに関するものであり、噴出させるべき泡の形態（泡立ち状態）を簡単な操作でもって切り換えようとするものである。
【０００２】
【従来の技術】
黴び取り材や漂白剤、洗顔剤、整髪剤等の内容物を泡にして噴出させるフォーマーディスペンサーは、噴射ノズルの先端に障壁板を設けてノズルの噴出口から排出された内容物を該障壁板に衝突させその際に空気との混合を促進させることにより内容物を発泡させて排出するようになっている。
【０００３】
上記障壁板は普通、ノズルの先端で揺動可能に枢着されており、開状態あるいは閉状態とすることによって内容物の噴出パターンを変更するようにしていた（例えば、特許文献１参照）。
【０００４】
【特許文献１】
特開平８−７１４６３号公報
【０００５】
ところで、近年、この種の噴射ノズルは、例えば、泡の粒子を大きくして粗い泡にして噴出させたり、泡の粒子を細かくしてクリーミーな泡にして噴出させる等、泡の形態を適宜に変更できることが求められつつあるところ、障壁板をノズルの先端に枢着した従来型の噴射ノズルは、障壁板によって形成される泡は単一形態であってこのような要求に対応することができないのが現状であった。
【０００６】
【発明が解決しようとする課題】
本発明の課題は、内容物の用途あるいは使い方に応じて泡の形態を適宜に変更できる新規な噴射ノズルを提案するところにある。
【０００７】
【課題を解決するための手段】
本発明は、フォーマーディスペンサーの噴射筒を通して圧送される内容物を外部に向けて噴出させる噴射ノズルであって、
前記噴射筒の先端に装着され該噴射筒の通路につながる噴出口を有するノズル本体と、ノズル本体の噴出口より排出した内容物を衝突させて発泡させる複数の障壁を有するノズルチップとを備え、
該ノズルチップは、障壁と噴出口との相互間にて空気と内容物の混合促進空間を形成するインナー部材と、このインナー部材の前面に合わさり該障壁における内容物の衝突面積を変更する第２の障壁を有するアウター部材からなることを特徴とするフォーマーディスペンサー用噴射ノズルである。
【０００８】
アウター部材は、インナー部材の基部に回転可能に保持される環状体を有するものとするか、インナー部材の基部に固定保持される環状体と、この環状体にヒンジを介して揺動可能に保持される障壁部分からなるもの、あるいは、インナー部材の基部にヒンジを介して直接揺動可能に保持されたものにて構成することができる。
【０００９】
また、インナー部材については、ノズル本体に一体に成形されたもの、あるいは、ノズル本体に着脱自在に取り付けられたものが適用できる。
【００１０】
【発明の実施の形態】
以下、図面を用いて本発明をより具体的に説明する。
【００１１】
図１〜３は本発明に従うフォーマーディスペンサー用噴射ノズルの実施の形態を示したものであり、図１は外観斜視図であり、図２はその分解斜視図であり、そして図３はその噴射ノズルの断面を示したものである。
【００１２】
図１〜３において１はノズル本体である。ノズル本体１はフォーマーディスペンサーの噴射筒２（図３参照）の先端に回動自在に装着されその通路２ａにつながる噴出口１ａを有している。
【００１３】
また、３はノズル本体１の先端部分に配置されるノズルチップである。ノズルチップ３はインナー部材３ａとアウター部材３ｂからなり、該インナー部材３ａはノズル本体１の前面から突出する嵌合用筒部にアンダーカット嵌合しており、ノズル本体１の噴出口１ａより排出された内容物を衝突させて発泡させる複数の障壁３ａ１を有しており、この障壁３ａ１と噴出口１ａの相互間にて空気と内容物の混合を促進させるための空間Ｌを成形するようになっている。
【００１４】
また、アウター部材３ｂはインナー部材３ａの基部に回転可能に保持される摘み付きの環状体３ｂ１とこの環状体３ｂ１に一体に形成される第２の障壁３ｂ２  からなっていて、環状体３ｂ１の回転にてインナー部材３ａの前面でインナー部材３ａの障壁３ａ１の相互間のすき間を障壁３ｂ２によって狭くすることで内容物の衝突面積を変更して泡の形態を変える。
【００１５】
図１に示したように、インナー部材３ａの障壁３ａ１とアウター部材３ｂの第２の障壁３ｂ２をその前後で重ね合わせて障壁３ａ１の相互間のすき間を大きくしておく（衝突面積を小さくする）ことで泡の粒子が大きくなって比較的粗い状態で排出されることになり、図４に示す如く該障壁３ａ１の相互間に第２の障壁３ｂ２を位置させそのすき間を狭くする（衝突面積を大きくする）ことで泡の粒子が小さくなりクリーミーな状態で排出されることになる。
【００１６】
図５はアウター部材３ｂの環状体３ｂ１をカップリングＣを介してインナー部材３ａの基部に嵌合させて、摘み付きの障壁３ｂ２をヒンジｈを介して揺動可能に保持した本発明の他の実施の形態を示したものである。
【００１７】
この構造の噴射ノズルは障壁３ｂ２を引き上げ開状態とすることで粒子の大きい泡の排出が可能となり、障壁３ｂ２を引き下ろして閉状態とすることでクリーミーな泡の排出が可能となる。
【００１８】
上掲図１〜５に示したところの噴射ノズルは、別体に形成したインナー部材３ａをノズル本体１の前面でアンダーカット嵌合にて一体とした例で示したものであるが、本発明ではこの他に図示はしないが成形時に噴射ノズル１とインナー部材３ａをヒンジ等を介して一体的に成形することもできるし、さらには図６に示すようにアウター部材３ｂとインナー部材３ａをヒンジｈを介して直接揺動可能に連結してインナー部材３ａをノズル本体１に着脱自在に取り付けるようにしてもよい。
【００１９】
アウター部材３ｂを回転させて泡の形態を変更する噴射ノズルにおいては、泡の形態を切り換える際にアウター部材３ｂのインナー部材３ａに対する位置決めを行うために、その何れか一方に形成された凸部と、もう一方に成形され該凸部に適合する凹部からなる位置決めストッパーを設けるのがよい。また、アウター部材３ｂを噴射ノズル１の前面に対して水平に回転させて噴出形態を変更する構造では、この位置決めストッパーは図７に示すようにノズル本体１に凸部１ｂを設けてアウター部材３ｂの回転を所定の位置で阻止するものでもよく、この点についてはとくに限定されない。
【００２０】
内容物を効率よく発泡させるには、混合促進空間Ｌにて内容物と空気を混合することが不可欠であり、そのため図１〜６においては混合促進空間Ｌに空気を導入するための空気導入部４をノズルチップ３の側面に設けた構造としたが、この空気導入部４は図８に示すようにノズルチップ３の前面に設けることもできる。
【００２１】
ディスペンサーは、操作レバーを牽曳して内容物を噴射させるトリガータイプのものや押圧ヘッドを押し込むことで内容物を噴射させるプライミングタイプのものが適用される。
【００２２】
インナー部材３ａに設けた障壁３ａ１とアウター部材３ｂ２に設けた第２の障壁３ｂ２は図１〜４に示したように共に同じ本数になる棒状部材を配置してその中央部で連結した構造とすることができるが、その本数は図５〜８に示す如く適宜に設定できるものであり（インナー部材とアウター部材でそれぞれ障壁を形成する棒状部材の本数を変えてもよい）、また、その中央部は連結しなくてもかまわない。
【００２３】
【発明の効果】
本発明によれば、泡の形態を簡単な操作でもって変更することができるので内容物の用途に応じた様々な使い方に対処できる。
【図面の簡単な説明】
【図１】本発明に従う噴射ノズルの外観斜視図である。
【図２】図１に示した噴射ノズルの分解状態で示した外観斜視図である。
【図３】図１に示した噴射ノズルの断面を示した図である。
【図４】泡の形態を変更できるようにした状態を示した図である。
【図５】本発明に従う噴射ノズルの他の実施の形態を示した図である。
【図６】本発明に従う噴射ノズルの他の実施の形態を示した図である。
【図７】本発明に従う噴射ノズルの他の実施の形態を示した図である。
【図８】アウター部材の外観を示した図である。
【符号の説明】
１  ノズル本体
１ａ  噴出口
２  噴射筒
２ａ  通路
３  ノズルチップ
３ａ  インナー部材
３ａ１  障壁
３ｂ  アウター部材
３ｂ１  環状体
３ｂ２  障壁
４  空気導入部
４ａ  開口
４ｂ  開口
ｈ  ヒンジ
【図１】
2004322041.tif 000003
【図２】
2004322041.tif 000004
【図３】
2004322041.tif 000005
【図４】
2004322041.tif 000006
【図５】
2004322041.tif 000007
【図６】
2004322041.tif 000008
【図７】
2004322041.tif 000009
【図８】
2004322041.tif 000010